【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
熱源機からの湯水を給湯配管を介して貯湯タンクに供給し、前記貯湯タンクからの湯水を出湯管を介して出湯する即湯システムであって、
前記貯湯タンクの水道水を加熱している時に、前記貯湯タンクの内部の圧力が所定の圧力になった場合、前記貯湯タンクに繋がる内部流路を膨張水排出管に接続させて前記貯湯タンクの内部の圧力を所定の圧力以下に減少させる圧力逃し弁を備え、前記膨張水排出管は、大気に連通する排水ホッパーを有する排水部に排水する即湯システムにおいて、
前記圧力逃し弁は、
前記給湯配管又は前記出湯管の内部流路に設けられ、
前記貯湯タンクの湯水を水抜きの為に外部に排水する時に、前記貯湯タンクに繋がる内部流路を大気に連通させて空気を前記貯湯タンクの内部に供給させる吸気栓を有し、
前記貯湯タンクの内部に空気が供給される前に、前記貯湯タンクに繋がる内部流路を前記膨張水排出管に接続する接続流路が形成されることにより、前記貯湯タンクに繋がる内部流路の湯水を前記膨張水排出管に排出可能であり、
前記貯湯タンクに繋がる内部流路の湯水を前記膨張水排出管に排出した後に、前記排水ホッパーからの空気を前記膨張水排出管を介して前記貯湯タンクの内部に供給させることを特徴とする即湯システム。
【請求項２】
熱源機からの湯水を給湯配管を介して貯湯タンクに供給し、前記貯湯タンクからの湯水を出湯管を介して出湯する即湯システムであって、
前記貯湯タンクの水道水を加熱している時に、前記貯湯タンクの内部の圧力が所定の圧力になった場合、前記貯湯タンクに繋がる内部流路を膨張水排出管に接続させて前記貯湯タンクの内部の圧力を所定の圧力以下に減少させる圧力逃し弁を備えた即湯システムにおいて、
前記圧力逃し弁は、
前記給湯配管又は前記出湯管の内部流路に設けられ、
前記貯湯タンクの湯水を水抜きの為に外部に排水する時に、前記貯湯タンクに繋がる内部流路を大気に連通させて空気を前記貯湯タンクの内部に供給させる吸気栓を有し、
前記貯湯タンクの内部に空気が供給される前に、前記貯湯タンクに繋がる内部流路を前記膨張水排出管に接続する接続流路が形成されることにより、前記貯湯タンクに繋がる内部流路の湯水を前記膨張水排出管に排出可能であり、
前記貯湯タンクに繋がる内部流路の湯水を前記膨張水排出管に排出した後に、前記膨張水排出管から空気を前記貯湯タンクの内部に供給させ、
前記吸気栓は、前記膨張水排出管からの空気を前記貯湯タンクの上部に接続される出湯管を介して前記貯湯タンクの上部に供給させることを特徴とする即湯システム。
【手続補正２】
【補正対象書類名】明細書
【補正対象項目名】発明の名称
【補正方法】変更
【補正の内容】
【発明の名称】即湯システム
【手続補正３】
【補正対象書類名】明細書
【補正対象項目名】０００９
【補正方法】変更
【補正の内容】
【０００９】
上記課題を解決するために本発明に係る即湯システムは、熱源機からの湯水を給湯配管を介して貯湯タンクに供給し、前記貯湯タンクからの湯水を出湯管を介して出湯する即湯システムであって、貯湯タンクの水道水を加熱している時に、前記貯湯タンクの内部の圧力が所定の圧力になった場合、前記貯湯タンクに繋がる内部流路を膨張水排出管に接続させて前記貯湯タンクの内部の圧力を所定の圧力以下に減少させる圧力逃し弁を備え、前記膨張水排出管は、大気に連通する排水ホッパーを有する排水部に排水する即湯システムにおいて、前記圧力逃し弁は、前記給湯配管又は前記出湯管の内部流路に設けられ、前記貯湯タンクの湯水を水抜きの為に外部に排水する時に、前記貯湯タンクに繋がる内部流路を大気に連通させて空気を前記貯湯タンクの内部に供給させる吸気栓を有し、前記貯湯タンクの内部に空気が供給される前に、前記貯湯タンクに繋がる内部流路を前記膨張水排出管に接続する接続流路が形成されることにより、前記貯湯タンクに繋がる内部流路の湯水を前記膨張水排出管に排出可能であり、前記貯湯タンクに繋がる内部流路の湯水を前記膨張水排出管に排出した後に、前記排水ホッパーからの空気を前記膨張水排出管を介して前記貯湯タンクの内部に供給させることを特徴とする。
【手続補正４】
【補正対象書類名】明細書
【補正対象項目名】００１０
【補正方法】変更
【補正の内容】
【００１０】
本発明の即湯システムによれば、貯湯タンクの内部の湯水の沸き上げ時に貯湯タンクの内部に圧縮された空気がある状態においても、貯湯タンクの内部に空気が供給される前に、貯湯タンクに繋がる内部流路を膨張水排出管に接続するため、吸気栓を開いた使用者に噴出した高温の湯水がかかってしまうことを防止することができる。
また、膨張水排出管から空気を貯湯タンクの内部に供給させるため、吸気栓を開いた使用者に噴出した高温の湯水がかかってしまうことを確実に防止し、吸気栓を開いた時の安全性を高めることができる。
さらに、排水ホッパーからの空気を貯湯タンクの内部に供給させるため、膨張水排出管に大気に連通する空気を供給する開口を設ける必要がない。
【手続補正５】
【補正対象書類名】明細書
【補正対象項目名】００１１
【補正方法】変更
【補正の内容】
【００１１】
上記課題を解決するために本発明に係る即湯システムは、熱源機からの湯水を給湯配管を介して貯湯タンクに供給し、前記貯湯タンクからの湯水を出湯管を介して出湯する即湯システムであって、貯湯タンクの水道水を加熱している時に、前記貯湯タンクの内部の圧力が所定の圧力になった場合、前記貯湯タンクに繋がる内部流路を膨張水排出管に接続させて前記貯湯タンクの内部の圧力を所定の圧力以下に減少させる圧力逃し弁を備えた即湯システムにおいて、前記圧力逃し弁は、前記給湯配管又は前記出湯管の内部流路に設けられ、前記貯湯タンクの湯水を水抜きの為に外部に排水する時に、前記貯湯タンクに繋がる内部流路を大気に連通させて空気を前記貯湯タンクの内部に供給させる吸気栓を有し、前記貯湯タンクの内部に空気が供給される前に、前記貯湯タンクに繋がる内部流路を前記膨張水排出管に接続する接続流路が形成されることにより、前記貯湯タンクに繋がる内部流路の湯水を前記膨張水排出管に排出可能であり、前記貯湯タンクに繋がる内部流路の湯水を前記膨張水排出管に排出した後に、前記膨張水排出管から空気を前記貯湯タンクの内部に供給させ、前記吸気栓は、前記膨張水排出管からの空気を前記貯湯タンクの上部に接続される出湯管を介して前記貯湯タンクの上部に供給させることを特徴とする。
【手続補正６】
【補正対象書類名】明細書
【補正対象項目名】００１２
【補正方法】変更
【補正の内容】
【００１２】
本発明の即湯システムによれば、貯湯タンクの内部の湯水の沸き上げ時に貯湯タンクの内部に圧縮された空気がある状態においても、貯湯タンクの内部に空気が供給される前に、貯湯タンクに繋がる内部流路を膨張水排出管に接続するため、吸気栓を開いた使用者に噴出した高温の湯水がかかってしまうことを防止することができる。
また、膨張水排出管から空気を貯湯タンクの内部に供給させるため、吸気栓を開いた使用者に噴出した高温の湯水がかかってしまうことを確実に防止し、吸気栓を開いた時の安全性を高めることができる。
さらに、吸気栓を開いた使用者に噴出した高温の湯水がかかってしまうことを防止しながら、膨張水排出管からの空気を貯湯タンクの上部に効率的に供給して貯湯タンクの湯水を排水管から排水しやすい構成になる。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】